(57)【要約】【課題】抜き取られる容器内に収納されている有価媒体に関する情報を入手することが可能な有価媒体処理装置を提供する。【解決手段】有価媒体処理装置は、有価媒体を収納する容器が着脱可能に取り付けられる取付部と、前記容器の抜取指示を受け取り、前記容器に収納されている前記有価媒体に関する有価媒体情報を順に少なくとも２回出力する制御部と、を備える。【選択図】図２
2019074886.tif 000002
【特許請求の範囲】
【請求項１】
有価媒体を収納する容器が着脱可能に取り付けられる取付部と、
前記容器の抜取指示を受け取り、前記容器に収納されている前記有価媒体に関する有価媒体情報を順に少なくとも２回出力する制御部と、を備える、
有価媒体処理装置。
【請求項２】
先に出力される前記有価媒体情報は、前記容器に収納されている有価媒体の種類、数及び総価値の少なくとも１つに関する情報を含む、
請求項１に記載の有価媒体処理装置。
【請求項３】
前記制御部は、先に出力される前記有価媒体情報を、前記容器が抜き取られる前に出力する、
請求項１又は２に記載の有価媒体処理装置。
【請求項４】
前記制御部は、先に出力される前記有価媒体情報が出力されたことを条件に、前記容器が前記取付部から取り外され外部に抜き取られる準備を行わせる、
請求項１から３のいずれかに記載の有価媒体処理装置。
【請求項５】
後に出力される前記有価媒体情報は、前記容器に収納されている有価媒体の種類、数及び総価値の少なくとも１つに関する情報を含む、
請求項１から４のいずれかに記載の有価媒体処理装置。
【請求項６】
前記制御部は、後に出力される前記有価媒体情報を、前記容器が抜き取られた後に出力する、
請求項１から５のいずれかに記載の有価媒体処理装置。
【請求項７】
後に出力される前記有価媒体情報は、先に出力される前記有価媒体情報に含まれる情報の少なくとも一部を含む、
請求項１から６のいずれかに記載の有価媒体処理装置。
【請求項８】
先に出力される前記有価媒体情報及び後に出力される前記有価媒体情報の少なくとも一方は、先に出力される前記有価媒体情報及び後に出力される前記有価媒体情報の他方が含んでいない付加情報を含んでいる、
請求項１から７のいずれかに記載の有価媒体処理装置。
【請求項９】
前記付加情報は、先に出力される前記有価媒体情報に含まれており、先に出力される前記有価媒体処理情報の内容を保証する保証情報を記入又は付けるための欄又は表示を生成する、
請求項８に記載の有価媒体処理装置。
【請求項１０】
前記取付部は、前記容器の口を封止する封止機構を有し、
前記制御部は、前記抜取指示を受け取った後、前記封止機構の作動指示を出す、
請求項１から９のいずれかに記載の有価媒体処理装置。
【請求項１１】
前記制御部は、先に出力される前記有価媒体情報を、前記封止機構が作動する前に出力する、
請求項１０に記載の有価媒体処理装置。
【請求項１２】
前記制御部は、後に出力される前記有価媒体情報を、前記封止機構による前記口の封止が完了した後に出力する、
請求項１０又は１１に記載の有価媒体処理装置。
【請求項１３】
前記取付部を複数備える、
請求項１から１２のいずれかに記載の有価媒体処理装置。
【請求項１４】
前記制御部は、前記抜取指示の対象である前記容器毎に、個別に前記有価媒体情報を出力する、
請求項１３に記載の有価媒体処理装置。
【請求項１５】
前記有価媒体情報は、前記抜取指示の対象である前記容器の全てに収納されている前記有価媒体に関する、
請求項１３に記載の有価媒体処理装置。
【請求項１６】
請求項１から１５のいずれかに記載の有価媒体処理装置と、
前記有価媒体情報を印刷する印刷装置と、を備える、
有価媒体処理システム。
【発明の詳細な説明】
【技術分野】
【０００１】
本発明は、有価媒体に対して種々の処理を行う有価媒体処理装置及び有価媒体処理システムに関する。
【背景技術】
【０００２】
有価媒体処理装置には、有価媒体としての紙幣を処理する紙幣処理装置や、有価媒体としての貨幣を処理する貨幣処理装置等がある。以下、紙幣処理装置の場合を例に挙げて説明する。
【０００３】
例えば特許文献１に開示されているように、紙幣処理装置からの紙幣の抜取は、紙幣を収納している容器を抜き取ることによって行われる。この際、容器内に収納されている紙幣に関する情報（例えば、金種別枚数及び総額）が印字又はバーコード表示された伝票が印刷される。伝票を見ること又はスキャナで読み取ることで、容器内に収納されている紙幣に関する情報を得ることができる。
【０００４】
紙幣回収業者は、容器と容器内に収納されている紙幣に関する情報が表示された伝票をセットにして、現金センター等へ持ち帰る。現金センター等においては、持ち帰られた伝票上の情報が照合され、問題がなければ、持ち帰られた容器内の紙幣の入金作業が行われる。
【先行技術文献】
【特許文献】
【０００５】
【特許文献１】国際公開第２０１０／０２１０４３号
【発明の概要】
【発明が解決しようとする課題】
【０００６】
しかしながら、伝票を印刷する印刷機又は紙幣処理装置そのもの等に不具合が生じると、紙幣処理装置から容器が抜き取られたにもかかわらず、伝票を適切に印刷できなくなるおそれがある。そのため、回収業者は円滑に容器を持ち帰ることができない可能性がある。
【０００７】
本発明はこのような状況に鑑みなされたものであり、抜き取られる容器内に収納されている有価媒体に関する情報を入手することが可能な有価媒体処理装置を提供することを課題としている。
【課題を解決するための手段】
【０００８】
本発明に係る有価媒体処理装置は、有価媒体を収納する容器が着脱可能に取り付けられる取付部と、前記容器の抜取指示を受け取り、前記容器に収納されている前記有価媒体に関する有価媒体情報を順に少なくとも２回出力する制御部と、を備える。
【発明の効果】
【０００９】
本発明によれば、抜き取られる容器内に収納されている有価媒体に関する情報を入手することが可能な有価媒体処理装置を提供することができる。
【図面の簡単な説明】
【００１０】
【図１】一実施形態に係る紙幣処理装置の模式図。
【図２】１つの収納容器を抜き取る際のフローを示すフローチャート。
【図３Ａ】仮伝票の一例。
【図３Ｂ】本伝票の一例。
【図４】２つの容器を抜き取る際のフローを示すフローチャート。
【図５】２つの容器を抜き取る際の他のフローを示すフローチャート。
【発明を実施するための形態】
【００１１】
以下、本発明の実施の形態について、図面を用いて詳細に説明する。以下の説明では、本発明に係る有価媒体処理装置の代表例として、有価媒体として紙幣を処理する紙幣処理装置について説明する。
【００１２】
図１は、本実施形態に係る紙幣処理装置１００の模式図である。本実施形態に係る紙幣処理装置１００は、紙幣の入金処理等の様々な紙幣処理を行うことができる装置である。紙幣処理装置１００は、例えば、銀行やスーパーマーケット等の店舗のフロント領域又はバックヤード領域に設置される。
【００１３】
紙幣処理装置１００は、略直方体形状の筐体１０１を有している。図１における筐体１０１の左側の面が筐体１０１の前面（すなわち、操作者が対向する面）である。
【００１４】
筐体１０１の内部には、上部ユニット１１０及び下部ユニット１２０が、それぞれ筐体１０１の前面から前方に引き出し可能に収容されている。筐体１０１の下部には、下部ユニット１２０を引き出す際に開放される施錠可能な扉１２１が設けられている。
【００１５】
上部ユニット１１０の前方側上方には、紙幣処理装置１００の内部に紙幣を投入するための投入部１１１が設けられている。投入部１１１は紙幣束を受け入れる受入ホッパ、受入ホッパ上の紙幣を１枚ずつ紙幣処理装置１００の内部に繰り出す紙幣操出機構等を有する。筐体１０１には、投入部１１１に対応する位置に開口が設けられており、使用者が、この開口を介して、投入部１１１内に紙幣を投入することが可能となっている。
【００１６】
上部ユニット１１０の前方側下方には、紙幣処理装置１００の内部から紙幣を排出するための排出部１１２が設けられている。排出部１１２は、紙幣を載置する載置部、載置部上に紙幣を１枚ずつ送り出すとともに紙幣を整列させる羽根車等を有する。筐体１０１には、排出部１１２に対応する位置に開口が設けられており、使用者が、この開口を介して、排出部１１２内から紙幣を取り出すことが可能となっている。
【００１７】
上部ユニット１１０内には、紙幣を搬送する搬送部１１３が配置されている。搬送部１１３はベルト等の搬送機構を有する。搬送部１１３の一端は投入部１１１に接続されている。搬送部１１３の他端は排出部１１２に接続されている。また、搬送部１１３は複数の分岐部及び分岐路を有している。これらの分岐路は、後に説明する収納操出部１１５及び取付部１２２に接続されている。
【００１８】
上部ユニット１１０内の搬送部１１３の一部に隣接する位置に、識別部１１４が配置されている。識別部１１４は種々のセンサを有しており、搬送部１１３によって搬送される紙幣の金種、正損、真偽等を識別する。
【００１９】
上部ユニット１１０内には、テープ式の収納操出部１１５が設けられている。収納操出部１１５は、搬送部１１３によって搬送されてきた紙幣を、ドラムの周りにテープとともに巻き取って収納する。また、収納操出部１１５は、収納するときとはドラムを逆方向に回転させることにより、ドラムの周りに収納している紙幣を、搬送部１１３に繰り出す。
【００２０】
上部ユニット１１０内には、ＣＰＵ、記憶装置及び情報入出力部等からなる制御部１１６が配置されている。また、紙幣処理装置１００は、図示しない操作部を有している。制御部１１６は、操作部を介して入力された指示に従って、紙幣処理装置１００が備える各装置を制御することで、紙幣処理装置１００を統括制御する。
【００２１】
下部ユニット１２０内には、取付部１２２が２つ設けられている。各取付部１２２には、紙幣を収納する容器３００が着脱可能に１つずつ取り付けられる。取付部１２２は、容器３００の口３０１を開いた状態で、容器３００を保持する。なお、取付部１２２の数が２つに限られないことは勿論であり、１つであってもよいし、３つ以上であってもよい。
【００２２】
本実施形態においては、容器３００は、紙幣の投入口である口３０１を上部に有する袋である。また、容器３００は、口３０１の近傍に、接着剤が塗布された接着面を有しており、容器３００の一部をこの接着面に貼り付けることで、口３０１を閉じることができるように構成されている。
【００２３】
取付部１２２は、特に限定されるわけではないが、例えば次のように構成されている。すなわち、取付部１２２は、容器３００の口３０１を封止する封止機構１２３を有する。封止機構１２３は、互いに離間するとともに対向する一対の保持部材１２４を有する。各保持部材１２４は、容器３００の口３０１の近傍部分を保持する。一対の保持部材１２４は互いに離接可能に相対移動可能である。一対の保持部材１２４が互いに接近することによって、容器３００が有する接着面が、容器３００の口３０１の近傍の接着面以外の部分に押しつけられ、容器３００の口３０１が封止される。封止機構１２３は、扉１２１と機械的に連結され、扉１２１を開く動作に連動して、作動するように構成されていてもよい。また、封止機構１２３は、制御部１１６からの作動指令に従って作動してもよい。
【００２４】
また、制御部１１６は、紙幣処理装置１００の外部に設けられた印刷装置２００と有線又は無線で接続されている。印刷装置２００は、制御部１１６から送信された情報を印刷する。紙幣処理装置１００と印刷装置２００とは、紙幣処理システムを構成している。なお、紙幣処理装置１００は、紙幣処理装置１００を構成する要素の１つとして、印刷装置２００をその内部に備えていてもよい。
【００２５】
以上のように構成された紙幣処理装置１００において、入金処理は次のように行われる。まず、投入部１１１に、紙幣束が載置される。すると、投入部１１１は紙幣を１枚ずつ搬送部１１３に搬送する。続いて識別部１１４は、搬送部１１３によって搬送されている紙幣の金種等を識別する。制御部１１６は、識別部１１４による識別結果に応じて搬送部１１３を制御し、紙幣を排出部１１２，収納操出部１１５又は取付部１２２に搬送する。取付部１２２は、取付部１２２に搬送された紙幣を容器３００の内部に投入する。
【００２６】
制御部１１６は、各容器３００に収納されている紙幣の種類（すなわち金種）、数及び総額（すなわち総価値）の少なくとも１つに関する情報、例えば、金種毎の枚数を記憶する。なお、制御部１１６は、各容器３００に収納されている紙幣の総額を記憶せず、金種毎の枚数に基づいて算出することもできる。
【００２７】
容器３００内に収納される紙幣量が所定量に達した場合、又は、予め定められている時期が到来した場合に、紙幣処理装置１００から容器３００が抜き取られる抜取処理が開始される。
【００２８】
図２は、２つの容器３００のうちの一方を抜き取る抜取処理の流れの一例を示すフローチャートである。
【００２９】
最初に、操作者によって、紙幣処理装置１００が備える操作部（不図示）又は、制御部１１６と有線又は無線で接続された外部の操作装置が操作される。すると、制御部１１６は操作部又は操作装置から、容器３００の抜取指示を示す信号を受け取る（Ｓ１０１）。本明細書において、抜取指示とは、容器３００を取付部１２２から取り外し、紙幣処理装置１００から抜き取って外部に出すための準備を、紙幣処理装置１００に行わせるための指示である。
【００３０】
抜取指示を示す信号を受け取ると、制御部１１６は、容器３００に収納されている紙幣に関する情報である第１の紙幣情報を出力し、印刷装置２００へ送る（Ｓ１０２）。
【００３１】
第１の紙幣情報は、「先に出力される有価媒体情報」に相当する。第１の紙幣情報は、第１の紙幣情報が容器３００の抜取前に出力されたことを示す情報（「付加情報」の１種）を含んでいる。また、第１の紙幣情報は、紙幣処理装置１００や操作者を識別するための情報、容器３００に収納されている紙幣の金種毎の枚数及び総額に関する情報、並びに、印刷時にサイン欄（後述）を生成する情報（「付加情報」の１種）を含んでいる。
【００３２】
印刷装置２００は、第１の紙幣情報を受け取ると、第１の紙幣情報の内容を示すものとして、図３Ａに示される仮伝票４００を印刷する。仮伝票４００には、紙幣処理装置１００のＩＤ、操作者のＩＤ及び印刷時間等が示されるヘッダー部４０１が印刷されている。ヘッダー部４０１中の「Before Remove」の表示は、仮伝票４００が容器３００の抜取前に出力された情報（第１の紙幣情報）に基づくものであることを示している。すなわち、この表示は、付加情報の１種に基づくものである。また、仮伝票４００には、抜取対象の容器３００に収納されている紙幣の金種毎の枚数及び総額が示される内容部４０２が印刷されている。また、仮伝票４００には、サイン欄４０３が印刷されている。サイン欄４０３は、付加情報の１種に基づくものである。
【００３３】
制御部１１６は、仮伝票４００の印刷の成功を確認すると（Ｓ１０３においてＹＥＳ）、封止機構１２３を作動させ、抜取対象の容器３００の口３０１を封止する（Ｓ１０４）。なお、仮伝票４００の印刷の成功が確認されない場合（Ｓ１０３においてＮＯ）については、後述する。
【００３４】
続いて、制御部１１６は、扉１２１を解錠する。作業者は、扉１２１を開く（Ｓ１０５）。
【００３５】
続いて、作業者は、抜取対象の容器３００を、取付部１２２から取り外し、筐体１０１の中から外に抜き取る（Ｓ１０６）。
【００３６】
続いて、作業者は、新たな容器３００を、口３０１が開いた状態で、取付部１２２に取り付ける（Ｓ１０７）。
【００３７】
続いて、作業者は、扉１２１を閉じる（Ｓ１０８）。制御部１１６は、扉１２１を施錠する。
【００３８】
最後に、制御部１１６は、抜き取られた容器３００に収納されている紙幣に関する情報である第２の紙幣情報を出力し、印刷装置２００へ送る（Ｓ１０９）。第２の紙幣情報は、「後に出力される有価媒体情報」に相当する。第２の紙幣情報は、第２の紙幣情報が容器３００の抜取後に出力されたことを示す情報（「付加情報」の一種）を含んでいる。また、第２の紙幣情報は、紙幣処理装置１００や操作者を識別するための情報、並びに、容器３００に収納されている紙幣の金種毎の枚数及び総額に関する情報を含んでいる。
【００３９】
印刷装置２００は、第２の紙幣情報を受け取ると、第２の紙幣情報の内容を示すものとして、図３Ｂに示される本伝票５００を印刷する。本伝票５００には、紙幣処理装置１００のＩＤ、操作者のＩＤ、印刷時間等が示されるヘッダー部５０１が印刷されている。ヘッダー部５０１中の「Remove」の表示は、本伝票５００が容器３００の抜取後に出力された情報（第２の紙幣情報）に基づくものであることを示している。すなわち、この表示は、付加情報の１種に基づくものである。また、本伝票５００には、抜き取られた容器３００に収納されている紙幣の金種毎の枚数及び総額が示される内容部５０２が印刷されている。本伝票５００の内容部５０２の内容は、仮伝票４００の内容部４０２の内容と同じである。
【００４０】
作業者は、本伝票５００の印刷の成功を確認すると（Ｓ１１０においてＹＥＳ）、抜き取られた容器３００と本伝票５００をセットにして持ち帰り（Ｓ１１１）、抜取作業が終了する。
【００４１】
本伝票５００の印刷が成功しなかった場合（Ｓ１１０においてＮＯ）、作業者は抜き取られた容器３００と仮伝票４００をセットにして持ち帰る（Ｓ１１２）。その際、作業者は仮伝票４００のサイン欄４０３にサインをする。又は、抜き取られた容器３００とともに持ち帰られた仮伝票４００のサイン欄４０３に、管理者等がサインをする。以上で、抜取作業が終了する。
【００４２】
このように抜取作業を行うことによって、予め仮伝票４００を印刷しておくことができる。よって、仮に、抜取作業中に紙幣処理装置１００又は印刷装置２００に不具合が生じ、本伝票５００を印刷することができなくても（Ｓ１１０においてＮＯ）、仮伝票４００と容器３００とをセットにして、容器３００を現金センター等に持ち帰ることができる。そして、仮伝票４００の内容に基づいて、現金センター等において入金処理を行うことができる。したがって、紙幣処理装置１００等の不具合が解消するまで紙幣回収業者が待機することで無駄なチャージが発生することを防ぐことができる。
【００４３】
しかも、仮伝票４００には、操作者又は管理者等が内容部４０２に示されている内容を保証するためのサインを記入する欄であるサイン欄４０３が印刷されている。操作者又は管理者等のサインは、仮伝票４００の内容、すなわち、第１の紙幣情報の内容を保証する保証情報として機能するものである。よって、サイン欄４０３へのサインが済んだ仮伝票４００は、容器３００が抜き取られる前に印刷されたものであるにも関わらず、容器３００に収納されている紙幣の内容を保証することができる。なお、サイン欄４０３に代えて、操作者又は管理者が、第１の紙幣情報の内容を保証することを示す印を付ける（押印する）ための欄が印刷されてもよい。
【００４４】
なお、仮伝票４００の印刷が成功しなかった場合（Ｓ１０３においてＮＯ）、作業者等によって、仮伝票４００の印刷を妨げている不具合の解消作業が行われる（Ｓ１１３）。
【００４５】
不具合が解消されると（Ｓ１１４においてＹＥＳ）、制御部１１６は再び第１の紙幣情報を出力する（Ｓ１０２）。以後の流れは前述のとおりである。
【００４６】
不具合が解消されない場合（Ｓ１１４においてＮＯ）、制御部１１６は、抜取処理を中断し（Ｓ１１５）、抜取作業は終了する。
【００４７】
よって、本実施形態に係る紙幣処理装置１００によれば、仮伝票４００を適切に印刷できなくても、仮伝票４００の印刷を妨げている原因を、抜取作業の早い段階で解消させることができる。よって、回収業者の待機時間、ひいては回収業者のチャージの増加を最小化することができる。
【００４８】
また、本実施形態に係る紙幣処理装置１００によれば、本伝票５００はおろか仮伝票４００さえもない状態で容器３００が抜き取られてしまっている、という状態が発生することを未然に防止することができる。言い換えると、収納している紙幣についての情報が記された伝票が無いために、現金センター等において入金処理に移行させることができない容器３００が発生する、ということを未然に防止することができる。
【００４９】
なお、第１の紙幣情報の出力タイミングは、抜き取り指示を示す信号を受け取った後には限られず、例えば、封止機構１２３の作動前、作動開始時、作動中、又は、作動後（封止完了後）等であっても良い。また、第２の紙幣情報の出力タイミングは、扉１２１の施錠後には限られず、例えば、封止機構１２３の作動後（封止完了後）、扉１２１の解錠時又は解錠後、若しくは、扉１２１を開いた後であっても良い。取付部１２２が容器３００が取り付けられているか否かを検知するセンサを備えている場合は、第２の紙幣情報は、このセンサが容器３００が取付部１２２から取り外されたことを検知したときに出力されても良い。
【００５０】
また、容器３００を取付部１２２から取り外し、紙幣処理装置１００から抜き取って外部に出すための準備とは、下部ユニットの扉の解錠であってもよい。また、取付部１２２に容器３００を固定する制限機構が設けられている場合は、取付部１２２の制限機構による容器３００の固定の解除であってもよい。また、取付部１２２が下部ユニットから外部へ引き出し可能とされ、引き出しを制限するための制限機構を設けられている場合は、取付部１２２の引き出しを制限する制限機構の解除であってもよい。上記容器３００を取付部１２２から取り外し、紙幣処理装置１００から抜き取って外部に出すための準備が完了することで、容器３００の抜き取りが許容されたとみなすことができる。
【００５１】
続いて、図４を参照しながら、２つの容器３００の両方を抜き取る抜取処理の流れについて説明する。
【００５２】
最初に、操作者によって、紙幣処理装置１００が備える操作部（不図示）又は、制御部１１６と有線又は無線で接続された外部の操作装置が操作される。すると、制御部１１６は操作部又は操作装置から、２つの容器３００の抜取指示を示す信号を受け取る（Ｓ２０１）。
【００５３】
抜取指示を示す信号を受け取ると、制御部１１６は、各容器３００に収納されている紙幣に関する情報である第１の紙幣情報を個別に出力し、印刷装置２００へ送る（Ｓ２０２）。
【００５４】
第１の紙幣情報は上で説明したとおりの情報を含んでいる。
【００５５】
印刷装置２００は、各容器３００についての個別の第１の紙幣情報を受信すると、各容器３００について個別に仮伝票４００を印刷する。なお、各容器３００についての仮伝票４００の内容は、先に説明した仮伝票４００の内容と同様である。
【００５６】
制御部１１６は、各容器３００についての仮伝票４００の印刷の成功を確認すると（Ｓ２０３及びＳ２０４においてＹＥＳ）、封止機構１２３を作動させ、各容器３００の口３０１を封止する（Ｓ２０５）。なお、一方又は他方の容器３００についての仮伝票４００の印刷の成功が確認されない場合（Ｓ２０３又はＳ２０４においてＮＯ）については、後述する。
【００５７】
続いて、制御部１１６は、扉１２１を解錠する。作業者は、扉１２１を開く（Ｓ２０６）。
【００５８】
続いて、作業者は、２つの容器３００を、取付部１２２から取り外し、筐体１０１の中から外に抜き取る（Ｓ２０７）。
【００５９】
続いて、作業者は、２つの新たな容器３００を、口３０１が開いた状態で、取付部１２２に取り付ける（Ｓ２０８）。
【００６０】
続いて、作業者は、扉１２１を閉じる（Ｓ２０９）。制御部１１６は、扉１２１を施錠する。
【００６１】
最後に、制御部１１６は、各容器３００に収納されている紙幣に関する情報である第２の紙幣情報を個別に出力し、印刷装置２００へ送る（Ｓ２１０）。
【００６２】
第２の紙幣情報は上で説明したとおりの情報を含んでいる。
【００６３】
印刷装置２００は、各容器３００についての個別の第２の紙幣情報を受け取ると、各容器３００について本伝票５００を印刷する。なお、各容器３００についての本伝票５００の内容は、先に説明した本伝票５００の内容と同様である。
【００６４】
作業者は、一方及び他方の容器３００についての本伝票５００の印刷の成功を確認すると（Ｓ２１１及びＳ２１２においてＹＥＳ）、２つの容器３００と、各容器３００それぞれについて１枚ずつ、計２枚の本伝票５００をセットにして持ち帰る（Ｓ２１３）。以上で抜取作業は終了する。
【００６５】
一方の容器３００についての本伝票５００の印刷は成功した（Ｓ２１１においてＹＥＳ）ものの、他方の容器３００についての本伝票５００の印刷は成功しなかった場合（Ｓ２１２においてＮＯ）は、次のようにして抜取作業は終了する。すなわち、作業者が、一方の容器３００と一方の容器３００についての本伝票５００のセットと、他方の容器３００と他方の容器３００についての仮伝票４００のセットを持ち帰ることで（Ｓ２１４）、抜取作業が終了する。
【００６６】
また、一方の容器３００についての本伝票５００の印刷は成功しなかった（Ｓ２１１においてＮＯ）ものの、他方の容器３００についての本伝票５００の印刷が成功した場合（Ｓ２１５においてＹＥＳ）は、次のようにして抜取作業は終了する。すなわち、作業者が、一方の容器３００と一方の容器３００についての仮伝票４００のセットと、他方の容器３００と他方の容器３００についての本伝票５００のセットを持ち帰ることで（Ｓ２１６）、抜取作業は終了する。
【００６７】
また、いずれの容器３００についても本伝票５００の印刷が成功しなかった（Ｓ２１１及びＳ２１５においてＮＯ）場合は、次のようにして抜取作業は終了する。すなわち、作業者が、２つの容器３００と、各容器３００それぞれについて１枚ずつ、計２枚の仮伝票４００をセットにして持ち帰り（Ｓ２１７）、抜取作業が終了する。
【００６８】
引き続き、一方の容器３００についての仮伝票４００の印刷は成功した（Ｓ２０３においてＹＥＳ）ものの、他方の容器３００についての仮伝票４００の印刷は成功しなかった場合（Ｓ２０４においてＮＯ）のフローについて説明する。この場合、作業者等によって、仮伝票４００の印刷を妨げている不具合の解消作業が行われる（Ｓ２１８）。
【００６９】
不具合が解消されると（Ｓ２１９においてＹＥＳ）、制御部１１６は再び第１の紙幣情報を出力する（Ｓ２０２）。以後の流れは前述のとおりである。
【００７０】
不具合が解消されない場合（Ｓ２１９においてＮＯ）、すなわち、一方の容器３００については仮伝票４００の印刷が成功したものの、他方の容器３００については仮伝票４００の印刷が成功しなかった場合は、以下のように抜取作業が継続される。
【００７１】
まず、制御部１１６は、仮伝票４００が印刷された一方の容器３００の口３０１を封止する（Ｓ２２０）。
【００７２】
続いて、制御部１１６は、扉１２１を解錠する。作業者は、扉１２１を開く（Ｓ２２１）。
【００７３】
続いて、作業者は、一方の容器３００を、取付部１２２から取り外し、筐体１０１の中から外に抜き取る（Ｓ２２２）。
【００７４】
続いて、作業者は、新たな容器３００を、口３０１が開いた状態で、一方の容器３００が取り付けられていた取付部１２２に取り付ける（Ｓ２２３）。
【００７５】
続いて、作業者は、扉１２１を閉じる（Ｓ２２４）。制御部１１６は、扉１２１を施錠する。
【００７６】
最後に、制御部１１６は、一方の容器３００に収納されている紙幣に関する情報である第２の紙幣情報を出力し、印刷装置２００へ送る（Ｓ２２５）。
【００７７】
印刷装置２００は、一方の容器３００についての第２の紙幣情報を受信すると、一方の容器３００についての本伝票５００を印刷する。
【００７８】
作業者は、一方の容器３００についての本伝票５００の印刷の成功を確認すると（Ｓ２２６においてＹＥＳ）、一方の容器３００と、一方の容器３００についての本伝票５００のセットを持ち帰る（Ｓ２２７）。以上で抜取作業は終了する。
【００７９】
なお、この場合、他方の容器３００は、紙幣処理装置１００の中から抜き取られない。他方の容器３００についての仮伝票４００の印刷を妨げている不具合が解消された後に、改めて、他方の容器３００の抜取作業が行われる。この間、作業員は待機しなくてよい。したがって、作業員の待機に伴うチャージの発生を防ぐことができる。
【００８０】
これに対し、一方の容器３００についての本伝票５００の印刷が成功しなかった場合（Ｓ２２６においてＮＯ）は、次のようにして抜取作業は終了する。すなわち、作業者は、一方の容器３００と一方の容器３００についての仮伝票４００のセットを持ち帰ることで（Ｓ２２８）、抜取作業が終了する。
【００８１】
この場合も、他方の容器３００は、紙幣処理装置１００の中から抜き取られない。他方の容器３００についての仮伝票４００の印刷を妨げている不具合が解消された後に、改めて、他方の容器３００の抜取作業が行われる。この間、作業員は待機しなくてよい。したがって、作業員の待機に伴うチャージの発生を防ぐことができる。
【００８２】
また、一方の容器３００についての仮伝票４００の印刷が成功しなかった場合（Ｓ２０３においてＮＯ）、作業者等によって、仮伝票４００の印刷を妨げている不具合の解消作業が行われる（Ｓ２２９）。
【００８３】
不具合が解消されると（Ｓ２３０においてＹＥＳ）、制御部１１６は再び第１の紙幣情報を出力する（Ｓ２０２）。以後の流れは前述のとおりである。
【００８４】
不具合が解消されない場合（Ｓ２３０においてＮＯ）、制御部１１６は、抜取処理を中断し（Ｓ２３１）、抜取作業は終了する。
【００８５】
なお、この場合、２つの容器３００は、いずれも紙幣処理装置１００の中から抜き取られない。仮伝票４００の印刷を妨げている不具合が解消された後に、改めて、２つの容器３００の抜取作業が行われる。この間、作業員は待機しなくてよい。したがって、作業員の待機に伴うチャージの発生を防ぐことができる。
【００８６】
このようなフローに基づいて容器３００の抜取作業を行えば、２つの容器３００のいずれか一方又は両方について本伝票５００が印刷できなくても、その容器３００についての仮伝票４００を予め印刷しておくことができる。よって、本伝票５００はおろか仮伝票４００さえもない状態でいずれか一方又は両方の容器３００が抜き取られてしまっている、という状態が発生することを未然に防止することができる。すなわち、収納している紙幣についての情報が記された伝票が無いために、現金センター等において入金処理に移行させることができない容器３００が発生する、ということを未然に防止することができる。
【００８７】
なお、上記フローにおいては、２つの容器３００それぞれについて、個別に仮伝票４００を印刷するとともに、個別に本伝票５００を印刷することとしていたが、２つの容器３００に共通の１枚の仮伝票４００及び１枚の本伝票５００を印刷することとしてもよい。例えば、一方の容器３００に収納されている紙幣の金種毎の枚数及び総額と、他方の容器３００に収納されている紙幣の金種毎の枚数及び総額を、１枚の仮伝票４００及び１枚の本伝票５００に印刷してもよい。また、２つの容器３００それぞれに収納されている紙幣の金種毎の枚数及び総額を合算した値を、１枚の仮伝票４００及び１枚の本伝票５００に印刷することとしてもよい。
【００８８】
あるいは、２つの容器３００に共通の１枚の仮伝票４００、及び、２つの容器３００それぞれに個別に１枚ずつ計２枚の本伝票５００を印刷することとしてもよい。それとは逆に、２つの容器３００それぞれに個別に１枚ずつ計２枚の仮伝票４００、及び、２つの容器３００に共通の１枚の本伝票５００を印刷することとしてもよい。
【００８９】
図５を参照しながら、このような抜取処理、すなわち、２つの容器３００を抜き取るとともに、仮伝票４００及び本伝票５００が１枚ずつ印刷される場合のフローについて説明する。
【００９０】
最初に、操作者によって、紙幣処理装置１００が備える操作部（不図示）又は、制御部１１６と有線又は無線で接続された外部の操作装置が操作される。すると、制御部１１６は操作部又は操作装置から、２つの容器３００の抜取指示を示す信号を受け取る（Ｓ３０１）。
【００９１】
抜取指示を示す信号を受け取ると、制御部１１６は、２つの容器３００に収納されている紙幣に関する情報である第１の紙幣情報を出力し、印刷装置２００へ送る（Ｓ３０２）。ここにおける第１の紙幣情報とは、一方の容器３００に収納されている紙幣と、他方の容器３００に収納されている紙幣とを合わせたものに関する情報である。すなわち、第１の紙幣情報は、例えば、一方の容器３００に収納されている紙幣の総額と、他方の容器３００に収納されている紙幣の総額の和を含む。あるいは、第１の紙幣情報は、一方の容器３００に収納されているある金種の紙幣の数と、他の容器３００に収納されているある金種の紙幣の数の和を含む。その他の点は、先に説明したとおりである。
【００９２】
印刷装置２００は、第１の紙幣情報を受け取ると、第１の紙幣情報の内容を示すものとして、仮伝票４００を印刷する。なお、仮伝票４００についてはすでに説明しているので、ここでは詳細な説明は省略する。
【００９３】
制御部１１６は、仮伝票４００の印刷の成功を確認すると（Ｓ３０３においてＹＥＳ）、封止機構１２３を作動させ、２つの容器３００それぞれの口３０１を封止する（Ｓ３０４）。なお、仮伝票４００の印刷の成功が確認されない場合（Ｓ３０３においてＮＯ）については、後述する。
【００９４】
続いて、制御部１１６は、扉１２１を解錠する。作業者は、扉１２１を開く（Ｓ３０５）。
【００９５】
続いて、作業者は、２つの容器３００それぞれを、取付部１２２から取り外し、筐体１０１の中から外に抜き取る（Ｓ３０６）。
【００９６】
続いて、作業者は、２つの新たな容器３００を、口３０１が開いた状態で、取付部１２２に取り付ける（Ｓ３０７）。
【００９７】
続いて、作業者は、扉１２１を閉じる（Ｓ３０８）。制御部１１６は、扉１２１を施錠する。
【００９８】
最後に、制御部１１６は、２つの容器３００に収納されている紙幣に関する情報である第２の紙幣情報を出力し、印刷装置２００へ送信する（Ｓ３０９）。ここにおける第２の紙幣情報とは、一方の容器３００に収納されている紙幣と、他方の容器３００に収納されている紙幣とを合わせたものに関する情報である。すなわち、第２の紙幣情報は、例えば、一方の容器３００に収納されている紙幣の総額と、他方の容器３００に収納されている紙幣の総額の和を含む。あるいは、第２の紙幣情報は、一方の容器３００に収納されているある金種の紙幣の数と、他の容器３００に収納されているある金種の紙幣の数の和を含む。その他の点は、先に説明したとおりである。
【００９９】
印刷装置２００は、第２の紙幣情報を受け取ると、第２の紙幣情報の内容を示すものとして、本伝票５００を印刷する。なお、本伝票５００についてはすでに説明しているので、ここでは詳細な説明は省略する。
【０１００】
作業者は、本伝票５００の印刷の成功を確認すると（Ｓ３１０においてＹＥＳ）、２つの容器３００と１枚の本伝票５００をセットにして持ち帰り（Ｓ３１１）、抜取作業が終了する。
【０１０１】
本伝票５００の印刷が成功しなかった場合（Ｓ３１０においてＮＯ）、作業者は２つの容器３００と１枚の仮伝票４００をセットにして持ち帰る（Ｓ３１２）。その際、作業者は仮伝票４００のサイン欄４０３にサインをする。又は、２つの容器３００とともに持ち帰られた仮伝票４００のサイン欄４０３に、管理者等がサインをする。以上で、抜取作業が終了する。
【０１０２】
なお、仮伝票４００の印刷が成功しなかった場合（Ｓ３０３においてＮＯ）、作業者等によって、仮伝票４００の印刷を妨げている不具合の解消作業が行われる（Ｓ３１３）。
【０１０３】
不具合が解消されると（Ｓ３１４においてＹＥＳ）、制御部１１６は再び第１の紙幣情報を出力する（Ｓ３０２）。以後の流れは前述のとおりである。
【０１０４】
不具合が解消されない場合（Ｓ３１４においてＮＯ）、制御部１１６は、抜取処理を中断し（Ｓ３１５）、抜取作業は終了する。
【０１０５】
このように紙幣処理装置１００を作動させれば、仮伝票４００及び本伝票５００は１枚ずつ印刷すれば済む。よって、１つの紙幣処理装置１００から１度の抜取作業で抜き取られた２つの容器３００を区別する必要がない場合、より簡便に抜取作業を行うことができるという利点が得られる。
【０１０６】
なお、容器３００は袋には限られず、複数の紙幣が積層状態で収納される積層式の収納領域、又は、複数の紙幣が回転体に巻き取られた状態で収納される巻き取り式の収納領域を有するカセットであってもよい。
【０１０７】
また、紙幣処理装置１００は、その内部に紙幣を出し入れ可能な紙幣収納領域を複数有し、紙幣の入金処理及び出金処理等が可能なように構成されていてもよい。
【０１０８】
上に説明した例では、仮伝票４００及び本伝票５００は、いずれも文字及び数字のみが印刷されたものであったが、それらが示す情報の一部又は全部をバーコードで置き換えてもよいことは勿論である。
【０１０９】
また、印刷装置２００に代えて、スマートフォンやタブレット端末のような携帯デバイスが、制御部１１６と有線又は無線で接続されて紙幣処理システムを構成してもよい。この場合、仮伝票４００及び本伝票５００を印刷することに代えて、仮伝票４００及び本伝票５００の内容を携帯デバイスの画面に表示させることができる。この場合も、携帯デバイスの画面に表示される第１の紙幣情報又は第２の紙幣情報を参照することで、持ち帰った容器３００内の紙幣の入金処理を現金センター等で行うことができる。
【０１１０】
この場合、携帯デバイスの画面にサイン欄４０３を表示させ、画面を介してサインを記入するようにしてもよい。あるいは、携帯デバイスの画面にチェックボックスを表示し、このチェックボックスにチェックが入れられることにより、印付けが行われるようにしてもよい。
【０１１１】
または、これらの携帯デバイスが有する記憶装置、又は、ＵＳＢメモリ等の記憶媒体が、制御部１１６から第１の紙幣情報及び第２の紙幣情報を受け取り、記憶してもよい。これらの情報は、現金センター等において読み出され、仮伝票４００及び本伝票５００として印刷されるか、情報処理装置の画面に表示され、入金処理に供される。
【０１１２】
なお、本発明に係る有価媒体処理装置が処理する有価媒体は紙幣ではなくてもよいことは勿論であり、小切手、商品券等の紙葉類、又は硬貨等であってもよい。すなわち、本発明に係る有価媒体処理装置は、紙幣処理装置には限られず、紙幣以外の有価媒体を処理するものであってもよい。
【産業上の利用可能性】
【０１１３】
本発明は、有価媒体処理装置及び有価媒体処理システムとして好適に利用される。
【符号の説明】
【０１１４】
１００  紙幣処理装置
１０１  筐体
１１０  上部ユニット
１１１  投入部
１１２  排出部
１１３  搬送部
１１４  識別部
１１５  収納操出部
１１６  制御部
１２０  下部ユニット
１２１  扉
１２２  取付部
１２３  封止機構
１２４  保持部材
２００  印刷装置
３００  容器
３０１  口
４００  仮伝票
５００  本伝票
４０１、５０１  ヘッダー部
４０２、５０２  内容部
４０３  サイン欄
【図１】
2019074886.tif 000003
【図２】
2019074886.tif 000004
【図３Ａ】
2019074886.tif 000005
【図３Ｂ】
2019074886.tif 000006
【図４】
2019074886.tif 000007
【図５】
2019074886.tif 000008